(57)【要約】【課題】本発明は、各種の金属製品を研削するハンディータイプのディスクグラインダーにおいて、自転、水平スイング運動及び上下ウイング運動のできるディスクグラインダーのスタンドを提供することを目的とする。【解決手段】本発明のディスクグラインダーのスタンドは、断面Ｌ字状の金属製板状のベース本体２と立上り部３を備えたスタンドベース１と、該ベース本体２の立上り部分３の頂部に枢支される断面逆Ｌ字状の金属製板状の支承部材４と、前記ベース本体２の立上り部分３に支持ボルト１８を取り付け、支点となる支持ボルト１８により前記支承部材４を枢動できるようにし、前記支承部材４に固定され、ディスクグラインダーＧの下半胴体部に一致する円弧の下部湾曲部５及びディスクグラインダーＧの上半胴体部に一致する円弧の上部湾曲部６を蝶番７により開閉自在に連結したディスクグラインダー把持体８から構成される。【選択図】図１
2009142968.tif 000002
【特許請求の範囲】
【請求項１】
一体に形成した断面Ｌ字状の金属製板材料からなり、ディスクグラインダーを装着した時に転倒しない状態となる安定した面積を備えた略矩形状のベース本体と該ベース本体の一辺から一体に立ち上がりディスクグラインダーのディスク側となる側をさらに上方に凸山形に形成した立上り部を設けたスタンドベースと、一体に形成した断面逆Ｌ字状の金属製板材料からなり、ディスクグラインダー把持体を固定する水平平板状の細長方形の把持体固定板と該把持体固定板の長辺から下方へ逆凸山形に立ち下がる立下り部を設けた支承部材と、前記把持体固定板には、ディスクグラインダーのディスク側となる前方側に支点ボルトを取り付けるための支点ボルト孔及び後方側にアジャストボルトをセットするためのアジャストボルト孔をそれぞれ上下方向に貫通形成し、前記立下り部に前記ベース本体の立上り部の頂点に設けた取付用ボルト孔に一致するボルト孔を形成し、前記取付用ボルト孔とボルト孔とを一体貫通させた支持ボルトを取り付け、支点となる支持ボルトにより前記支承部材を枢動できるようにすると共に、前記支承部材の把持体固定板と略同一形状の平板状で支点ボルト孔及びアジャストボルト孔を設けた下方取付板と該下方取付板に連結された下部湾曲部と該下部湾曲部の他端に蝶番を介して上部湾曲部を連結し、該上部湾曲部の他端に支点ボルト孔を形成した上方取付板を設けたディスクグラインダー把持体を設け、該ディスクグラインダー把持体の上方取付板の支点ボルト孔を前記支点ボルトに挿通し、前記支点ボルトにナットを螺合してディスクグラインダーの胴体部を締め付け固定することを特徴とするディスクグラインダーのスタンド。
【請求項２】
前記支点ボルトの上方取付板のナットを緩めることにより、ディスクグラインダーの胴体部を自転させて自由に位置、向きを変えることができることを特徴とする請求項１記載のディスクグラインダーのスタンド。
【請求項３】
前記支持ボルトを固定しているナットを緩めることにより、支持ボルトを支点にしてディスクグラインダーを上下ウイング動作させることができることを特徴とする請求項１記載のディスクグラインダーのスタンド。
【請求項４】
アジャストボルトを取り外すことにより、支点ボルトを支点にしてディスクグラインダーを水平スイング動作させることができることを特徴とする請求項１記載のディスクグラインダーのスタンド。
【発明の詳細な説明】
【技術分野】
【０００１】
本発明は、各種の金属製品を研削するハンディータイプのディスクグラインダーのスタンドに関する。
【背景技術】
【０００２】
従来、ディスクグラインダーは、目的によりディスクを交換することで各種の仕事をする電動工具の代表的なものの一つであるが、ハンディータイプのため、手、腕で持ち不安定な状態で加工物にディスクを押し当て切断・研磨作業をしていた。
この切断・研磨作業は、経験、熟練に頼るところ大で、仕事の成果、安全にも大きな問題があった。
ところで、小型で携帯ができ、しかも切断装置を手持ちの電動型ディスクグラインダーとして用いる切断機が知られている（特許文献１を参照）。
この公知技術では、切断機を基台に対して着脱自在に設けるもので、基台の支承部に止軸によって基台の上下方向にお辞儀運動をする切断体の支体に電動型ディスクグラインダーを着脱自在に掴持する掴持部を設け、また基台には被切断物を支受するカム方式のクランプ体を設けたものである。
しかしながら、上記公知技術は、単純に上下方向にお辞儀運動をするのみであり、棒鋼や金属管等の切断には有効であるが、その他の作業には不向きであった。
【特許文献１】登録実用新案第３０２６２７９号公報
【発明の開示】
【発明が解決しようとする課題】
【０００３】
本発明は、各種の金属製品を研削するハンディータイプのディスクグラインダーにおいて、自転、水平スイング運動及び上下ウイング運動のできるディスクグラインダーのスタンドを提供することを目的とする。
【課題を解決するための手段】
【０００４】
本発明のディスクグラインダーのスタンドは、一体に形成した断面Ｌ字状の金属製板材料からなり、ディスクグラインダーを装着した時に転倒しない状態となる安定した面積を備えた略矩形状のベース本体と該ベース本体の一辺から一体に立ち上がりディスクグラインダーのディスク側となる側をさらに上方に凸山形に形成した立上り部を設けたスタンドベースと、一体に形成した断面逆Ｌ字状の金属製板材料からなり、ディスクグラインダー把持体を固定する水平平板状の細長方形の把持体固定板と該把持体固定板の長辺から下方へ逆凸山形に立ち下がる立下り部を設けた支承部材と、前記把持体固定板には、ディスクグラインダーのディスク側となる前方側に支点ボルトを取り付けるための支点ボルト孔及び後方側にアジャストボルトをセットするためのアジャストボルト孔をそれぞれ上下方向に貫通形成し、前記立下り部に前記ベース本体の立上り部の頂点に設けた取付用ボルト孔に一致するボルト孔を形成し、前記取付用ボルト孔とボルト孔とを一体貫通させた支持ボルトを取り付け、支点となる支持ボルトにより前記支承部材を枢動できるようにすると共に、前記支承部材の把持体固定板と略同一形状の平板状で支点ボルト孔及びアジャストボルト孔を設けた下方取付板と該下方取付板に連結された下部湾曲部と該下部湾曲部の他端に蝶番７を介して上部湾曲部を連結し、該上部湾曲部の他端に支点ボルト孔を形成した上方取付板を設けたディスクグラインダー把持体を設け、該ディスクグラインダー把持体の上方取付板の支点ボルト孔を前記支点ボルトに挿通し、前記支点ボルトにナットを螺合してディスクグラインダーの胴体部を締め付け固定するものである。
本発明のディスクグラインダーのスタンドは、前記支点ボルトの上方取付板のナットを緩めることにより、ディスクグラインダーの胴体部を自転させて自由に位置、向きを変えることができるものである。
発明のディスクグラインダーのスタンドは、前記支持ボルトを固定しているナットを緩めることにより、支持ボルトを支点にしてディスクグラインダーを上下ウイング動作させることができるものである。
発明のディスクグラインダーのスタンドは、アジャストボルトを取り外すことにより、支点ボルトを支点にしてディスクグラインダーを水平スイング動作させることができるものである。
【発明の効果】
【０００５】
本発明のディスクグラインダーのスタンドは、ハンディータイプのディスクグラインダーにスタンドベースを設けたことにより自立、移動が容易になったし、又ベースを固定することにより卓上ディスクグラインダーとすることができる効果がある。
本発明のディスクグラインダーのスタンドは、胴体回転機能によりディスクを自転させて自由に位置、向きを変えられるようになった。
本発明のディスクグラインダーのスタンドは、スウイング動作機能の採用によりディスクカット等がスムースに、又安全上においても効果大となった。
【発明を実施するための最良の形態】
【０００６】
本発明のディスクグラインダーのスタンドの一実施例を添付図面に基づいて、以下に説明する。
図１に示すように、本発明のディスクグラインダーのスタンドは、断面Ｌ字状の金属製板状のベース本体２と立上り部３を備えたスタンドベース１と、該ベース本体２の立上り部分３の頂部に枢支される断面逆Ｌ字状の金属製板状の支承部材４と、該支承部材４に固定され、ディスクグラインダーＧの下半胴体部に一致する円弧の下部湾曲部５及びディスクグラインダーＧの上半胴体部に一致する円弧の上部湾曲部６を蝶番７により開閉自在に連結したディスクグラインダー把持体８から構成される。
【０００７】
前記スタンドベース１は、一体に形成した断面Ｌ字状の金属製板材料からなり、ディスクグラインダーＧを装着した時に転倒しない水平状態となる安定した面積を備えた略矩形状のベース本体２と該ベース本体２の一辺から一体に立ち上がりディスクグラインダーＧのディスクＤ側となる側をさらに上方に凸山形に形成した立上り部３からなる。
前記ベース本体２には、基台に固定するための固定用ビス孔９を複数個貫通形成し、また前記立上り部３の凸山形の頂部には取付用ボルト孔１０を貫通形成する。
【０００８】
前記支承部材４は、一体に形成した断面逆Ｌ字状の金属製板材料からなり、前記ディスクグラインダー把持体８を固定する水平平板状の細長方形の把持体固定板１１と該把持体固定板１１の長辺から下方へ凸山形に立ち下がる立下り部１２からなる。
前記把持体固定板１１には、ディスクグラインダーのディスクＤ側となる前方側に支点ボルト１３を取り付けるための支点ボルト孔１４及び後方側にアジャストボルト１５をセットするためのアジャストボルト孔１６をそれぞれ上下方向に貫通形成する。
前記立下り部１２に、前記ベース本体２の立上り部３の頂点に設けた取付用ボルト孔１０に一致するボルト孔１７を形成し、前記取付用ボルト孔１０とボルト孔１７とを貫通させた支持ボルト１８を取り付け、支点となる支持ボルト１８により前記支承部材４を枢動できるようにする。
【０００９】
前記ディスクグラインダー把持体８は、前記支承部材４の把持体固定板１１と略同一形状の平板状で支点ボルト孔１９及びアジャストボルト孔２０を設けた下方取付板２１と該下方取付板２１に連結された下部湾曲部５と該下部湾曲部５の他端に蝶番７を介して上部湾曲部６を連結し、該上部湾曲部６の他端に支点ボルト孔２２を形成した上方取付板２３を設ける。
なお、図１におけるＤはディスク、Ｇはディスクグラインダー、Ｈはハンドルである。
【００１０】
次に、本発明のディスクグラインダーのスタンドの使用動作を添付図面に基づいて、以下に説明する。
スタンドベース１のベース本体２を下にして平坦面に置き、支持ボルト１８を緩めて支承部材４を上下方向に揺動して姿勢を調節し、その後支持ボルト１８を締め付けて前記支承部材４を一定姿勢に固定する。
前記支承部材４の支点ボルト孔１４及びアジャストボルト孔１６にそれぞれ支点ボルト１３及びアジャストボルト１５を下方から貫通し、前記支承部材４を挟むようにナット２４を螺合してそれぞれ支点ボルト１３及びアジャストボルト１５を前記支承部材４に固定する。
さらに、前記支点ボルト１３及びアジャストボルト１５に別のナット２４を螺合してディスクグラインダーＧの大きさに合わせた位置で停止し、支点ボルト１３及びアジャストボルト１５にディスクグラインダー把持体８の下方取付板２１の支点ボルト孔１９及びアジャストボルト孔２０をそれぞれ嵌合して前記下方取付板２１を挟むようにナット２４を螺合してそれぞれ支点ボルト１３及びアジャストボルト１５に前記下方取付板２１を固定する。
前記ディスクグラインダー把持体８の上部湾曲部６を開いた状態で、ディスクグラインダーＧの胴体部を下部湾曲部５に載せ、前記上部湾曲部６を閉じて上方取付板２３の支点ボルト孔２２を前記支点ボルト１３に挿通し、前記支点ボルト１３にナット２４を螺合してディスクグラインダーＧの胴体部を締め付け固定する。
この状態では、ディスクグラインダーＧはスタンドベース１に固定されているので、ベース本体２の固定用ビス孔９にビスを螺合して作業台等に固定することにより固定用卓上ディスクグラインダーとして使用することができる。
【００１１】
ディスクグラインダーＧを自転させる場合は、支点ボルト１３の上方取付板２３の蝶ナット２５を緩めることにより、ディスクグラインダーＧの胴体部を自転させて自由に位置、向きを変えることができる。
ディスクグラインダーＧを上下ウイング動作させる場合は、支持ボルト１８を固定しているナット２４を緩めることにより、支持ボルト１８を支点にして支承部材４、即ちディスクグラインダーＧを上下ウイング動作させることができる。
また、ディスクグラインダーＧを水平スイング動作させる場合は、アジャストボルト１５を取り外すことにより、支点ボルト１３を支点にして支承部材４、即ちディスクグラインダーＧを水平スイング動作させることができる。
さらに、スタンドベース１のベース本体２に回転ボール（図示せず）を固定することにより、作業台等の水平面を自由に移動や凵字溝ベースガイド（図示せず）内を直線的に移動させることができる。
【図面の簡単な説明】
【００１２】
【図１】本発明のディスクグラインダーのスタンドを示す分解斜視図である。
【図２】本発明のディスクグラインダーの使用動作を示す正面図である。
【符号の説明】
【００１３】
１  スタンドベース
２  ベース本体
３  立上り部
４  支承部材
５  下部湾曲部
６  上部湾曲部
７  蝶番
８  ディスクグラインダー把持体
９  固定用ビス孔
１０  取付用ボルト孔
１１  把持体固定板
１２  立下り部
１３  支点ボルト
１４  支点ボルト孔
１５  アジャストボルト
１６  アジャストボルト孔
１７  ボルト孔
１８  支持ボルト
１９  支点ボルト孔
２０  アジャストボルト孔
２１  下方取付板
２２  支点ボルト孔
２３  上方取付板
２４  ナット
２５  蝶ナット
【図１】
2009142968.tif 000003
【図２】
2009142968.tif 000004